(57)【要約】【課題】梱包容量を低減できる軒樋受け具を提供する。【解決手段】軒樋２をその外面に沿って受け支持する支持部５を備え、建築構造物に固定されるようにした軒樋受け具１であって、支持部５は、帯板形状の２枚の分割支持片１０、２０を、長手方向に重合した状態で伸縮自在にスライドできるように軸結合して構成されており、２枚の分割支持片１０、２０は、両分割支持片１０、２０が相互に遠ざかって伸びた状態にあるとき、相互に固定された状態にある一方、両分割支持片１０、２０が固定された状態にあるときに、両分割支持片１０、２０を短縮方向にスライドさせると固定状態が解除される。【選択図】図１
2015025322.tif 000002
【特許請求の範囲】
【請求項１】
軒樋をその外面に沿って受け支持する支持部を備え、建築構造物に固定されるようにした軒樋受け具において、
前記支持部は、帯板形状の２枚の分割支持片を、長手方向に重合した状態で伸縮自在にスライドできるように軸結合して構成されており、
前記２枚の分割支持片は、両分割支持片が相互に遠ざかって伸びた状態にあるとき、相互に固定された状態にある一方、両分割支持片が固定された状態にあるときに、両分割支持片を短縮方向にスライドさせると固定状態が解除されることを特徴とする軒樋受け具。
【請求項２】
請求項１において、
前記２枚の分割支持片のうち、一方の分割支持片の端部の板面に、他方の分割支持片の板面に向かって突出した突部が形成されており、
前記２枚の分割支持片は、相互に遠ざかって伸びた状態にあるときに、前記突部が両分割支持片の間に配されて圧接状態となって相互に固定される構造となっている軒樋受け具。
【請求項３】
請求項１において、
前記２枚の分割支持片のうち、一方の分割支持片の端部の外面に突部が形成されており、
前記突部が、前記軸の頭部に圧接されて両分割支持片が相互に固定される構造となっている軒樋受け具。
【請求項４】
請求項１〜３のいずれか１項において、
前記建築構造物に固定させる取付杆をさらに備えており、該取付杆の端部で前記２枚の分割支持片を結合するための軸を構成している軒樋受け具。
【請求項５】
請求項１〜４のいずれか１項において、
前記２枚の分割支持片は、帯板のほぼ全長にわたり重合し得る形状とされる軒樋受け具。
【発明の詳細な説明】
【技術分野】
【０００１】
本発明は、軒樋を吊り支持する軒樋受け具に関する。
【背景技術】
【０００２】
従来の軒樋受け具は、丸樋、角樋のいずれについても、軒樋の外形に沿って帯板を折曲して形成した支持部と、帯板を直線状、湾曲状など種々の形状に加工した取付部とが一体化されて取り扱われることが一般的である（たとえば、特許文献１参照）。
【０００３】
このような軒樋吊り具は、複数個が箱詰めされた状態で保管され、施工現場にも、箱詰めされた状態で持ち込まれることが通例である。
【先行技術文献】
【特許文献】
【０００４】
【特許文献１】特開２００２−１６７９２０号公報
【発明の概要】
【発明が解決しようとする課題】
【０００５】
しかしながら、この種の軒樋受け具は、特許文献１に図示されているように、決して箱詰めしやすい形状ではなく、特に複数個を梱包した場合には箱内に不要な大きい空間ができてしまう。また、重合しにくい形状であるため、複数個を紐で縛った場合でも嵩が大きくなり取り扱いがしにくくなる。
【０００６】
本発明は、このような事情を考慮して提案されたもので、その目的は、梱包容量を低減できる軒樋受け具を提供することにある。
【課題を解決するための手段】
【０００７】
上記目的を達成するために、請求項１に記載の軒樋受け具は、軒樋をその外面に沿って受け支持する支持部を備え、建築構造物に固定されるようにした軒樋受け具において、支持部は、帯板形状の２枚の分割支持片を、長手方向に重合した状態で伸縮自在にスライドできるように軸結合して構成されており、２枚の分割支持片は、両分割支持片が相互に遠ざかって伸びた状態にあるとき、相互に固定された状態にある一方、両分割支持片が固定された状態にあるときに、両分割支持片を短縮方向にスライドさせると固定状態が解除されることを特徴とする。
【０００８】
請求項２に記載の軒樋受け具は、２枚の分割支持片のうち、一方の分割支持片の端部の板面に、他方の分割支持片の板面に向かって突出した突部が形成されており、２枚の分割支持片は、相互に遠ざかって伸びた状態にあるときに、突部が両分割支持片の間に配されて圧接状態となって相互に固定される構造となっている。
【０００９】
請求項３に記載の軒樋受け具は、２枚の分割支持片のうち、一方の分割支持片の端部の外面に突部が形成されており、突部が軸の頭部に圧接されて両分割支持片が相互に固定される構造となっている。
【００１０】
請求項４に記載の軒樋受け具は、建築構造物に固定させる取付杆をさらに備えており、該取付杆の端部で２枚の分割支持片を結合するための軸を構成している。
【００１１】
請求項５に記載の軒樋受け具は、２枚の分割支持片が、帯板のほぼ全長にわたり重合し得る形状とされる。
【発明の効果】
【００１２】
請求項１に記載の軒樋受け具によれば、上述した構成となっているため、保管、運搬などの際に、支持部を折り畳んでコンパクトな大きさにすることができる。つまり、梱包容量を低減でき、梱包数量の増加を見込め、保管、運搬コストの低減化を図ることができる。
【００１３】
請求項２に記載の軒樋受け具によれば、上述した構成となっているため、２枚の分割支持片を使用（軒樋を支持できる）状態にするだけで両分割支持片を固定することができる。また、突部を両分割支持片の間に配して圧接状態とする構成であるため、スムーズな固定が実現できる。
【００１４】
請求項３に記載の軒樋受け具によれば、上述した構成となっているため、２枚の分割支持片を使用（軒樋を支持できる）状態にするだけで両分割支持片を固定することができる。また、軸の頭部で突部を直接圧接する構成であるため両分割支持片の固定を確実化できる。
【００１５】
請求項４に記載の軒樋受け具によれば、２枚の分割支持片を結合する軸を、建築構造物に固定させるための取付杆の端部で形成した構成であるため、他の結合部材を用いる必要がなく、部品点数を少なくできる。
【００１６】
請求項５に記載の軒樋受け具によれば、２枚の分割支持片が帯板のほぼ全長にわたり重合し得る形状となっているため、支持部の寸法を約半分にすることができる。
【図面の簡単な説明】
【００１７】
【図１】本発明の一実施形態に係る軒樋受け具の説明図であり、（ａ）は分解縦断面図、（ｂ）は使用状態を示す縦断面図である。
【図２】２枚の分割支持片の固定／固定解除の態様を示す説明図であり、（ａ）は前側分割支持片の端部の模式拡大平面図、（ｂ）は２枚の分割支持片の固定状態（軒樋を支持し得る状態）を示す要部模式拡大平面図、（ｃ）は同固定解除状態を示す要部模式拡大平面図である。
【図３】２枚の分割支持片を折り畳み重ね合わせた状態を示す縦断面図である。
【図４】本実施形態の軒樋受け具の他例の説明図であり、（ａ）は前側分割支持片の端部の模式拡大平面図、（ｂ）は同模式拡大縦断面図、（ｃ）は２枚の分割支持片の固定状態（軒樋を支持し得る状態）を示す要部模式拡大縦断面図、（ｄ）は同固定解除状態を示す要部模式拡大平面図である。
【図５】本発明の他の実施形態に係る軒樋受け具の説明図であり、（ａ）は使用状態を示す縦断面図および要部拡大断面図、（ｂ）は２枚の分割支持片を折り畳み重ね合わせた状態を示す縦断面図である。
【発明を実施するための形態】
【００１８】
以下に、本発明の実施の形態について、添付図面を参照して説明する。
図１〜図４は、本発明の一実施形態に係る軒樋受け具の説明図である。
【００１９】
本軒樋受け具１は、図１（ａ）に示すように、前耳係止部２１を有した帯板形状の前側分割支持片２０と、後耳係止部１１を有した帯板形状の後側分割支持片１０と、軒樋受け具１を建築構造物３に固定させるための取付杆３０との３部材よりなる。
【００２０】
前側分割支持片２０と後側分割支持片１０とは、それらを結合固定することで、軒樋２をその外面に沿って受け支持するための支持部５を構成している。これら分割支持片１０、２０は、その主要部が湾曲状に加工形成され、使用可能に結合固定することで、図１（ｂ）に示すように、丸樋を支持し得る略半円形状となる。
【００２１】
後側分割支持片１０は、一方の端部に後耳係止部１１を備え、他方の端部に前側分割支持片２０と軸結合するための軸孔１２が開設されている。後耳係止部１１は、軒樋２の後耳２ａを装着し得る係合凹部１１ａを有した折曲形状となっている。
【００２２】
前側分割支持片２０は、一方の端部に前耳係止部２１を備え、ほぼ全長にわたり後側分割支持片１０と軸結合するための長孔２２が開設されている。この長孔２２はだるま孔状に形成されており、長孔２２の後部側の端部には径小とされた軸孔部２２ａが連設されている。この軸孔部２２ａの幅寸法は、後述する軸３２が帯板の幅方向へずれにくいように、軸３２の径とほぼ同じかやや大とされる。
【００２３】
また、前側分割支持片２０の軸孔部２２ａを設けたほうの端部の下面には、軸孔部２２ａの後方に湾曲先端面を有した複数の突部２３、２３が形成されている。
【００２４】
前耳係止部２１は、軒樋２の前耳２ｂを載置し得る載置部２１ａと、上方に突出した突片部２１ｂとよりなり、「く」字形状とされる。この前耳係止部２１は、載置部２１ａに軒樋２の前耳２ｂを載置し、突片部２１ｂを後方に折り曲げることで前耳２ｂを係止できるようになっている。
【００２５】
取付杆３０は、支持部５の中央から下方向に延びた連結部３１と、その連結部３１の下端より上方に傾斜して延び、垂木３（建築構造物）に打込むための尖端部３４ａを有した足部３４とを備えている。連結部３１の上端部には、前側分割支持片２０と後側分割支持片１０とを軸結合するための軸３２が形成され、軸３２の下端側には周方向に突出した鍔部３３が形成されている。
【００２６】
２枚の分割支持片１０、２０は、前側分割支持片２０を上に配した状態で、突部２３が後側分割支持片１０の上面に向かうようにして端部同士が重合され、重合した長孔２２、軸孔１２に取付杆３０の連結部３１の上端に形成された軸３２を挿通させ、長孔２２より上方に突出した部位をかしめたことで、２枚の分割支持片１０、２０は取付杆３０とともに連結されている。２枚の分割支持片１０、２０は、それらが長手方向に重合された状態で伸縮自在にスライドできるように結合されている。
【００２７】
軒樋受け具１は、図１（ｂ）のように軒樋２を支持できる状態にあるときには、両分割支持片１０、２０が相互に遠ざかって伸びた状態にあり、図２（ｂ）に示すように、軸３２は長孔２２の軸孔部２２ａに位置しており、このときには前側分割支持片２０に設けた突部２３の作用により両分割支持片１０、２０は相互に固定された状態にある。
【００２８】
この状態で、その後耳係止部１１の係合凹部１１ａに軒樋２の後耳２ａを装着し、前耳２ｂを前耳係止部２１の載置部２１ａに載置し、ついで後耳係止部１１の係合凹部１１ａの開口１１ｂを閉じるように締め付け、前耳係止部２１の突片部２１ｂを後方に折り曲げることで、軒樋２を支持部５に装着固定することができる（図１（ｂ）参照）。
【００２９】
ついで、軒樋受け具１のスライド操作による両分割支持片１０、２０の固定と固定解除について、図２および図３を参照しながら説明する。
【００３０】
図２（ｂ）に示すように、２枚の分割支持片１０、２０は、相互に遠ざかって伸びた状態にあるときに、突部２３が両分割支持片１０、２０の間に配され圧接状態となって相互に固定され、ロック状態となる。圧接が確実となるように、突部２３はかしめ部３２ａと鍔部３３との間に挟まれる位置に形成されることが望ましい（図１（ｂ）参照）。なお、ロック状態が容易に解除されないように、突部２３に対応する後側分割支持片１０の箇所に突部２３を係合する凹部を形成してもよい。
【００３１】
また、図２（ｃ）に示すように、一方の分割支持片２０（図例では前側分割支持片２０）を後方にスライド操作すると、突部２３がかしめ部３２ａと鍔部３３との上下位置からずれてロック解除状態となる。
【００３２】
なお、ロック解除状態で分割支持片１０、２０がスライド自在となり、ロック状態で２枚の分割支持片１０、２０が相互に固定されるように、軸３２の実質長さ寸法（かしめ部３２ａと鍔部３３との間の寸法）を調節して、２部材を軸結合しておけばよい。
【００３３】
さらに、前側分割支持片２０を後方にスライドさせることで、図３のように両分割支持片１０、２０がほぼ全長にわたり重合される。図３の状態で両分割支持片１０、２０が固定された状態となるように、長孔２２の前方側の端部にも軸孔部を設けてもよいし、さらに、その前方の下面に突部を設けて、縮小したときにも圧接固定の状態となるようにしてもよい。
【００３４】
このように軒樋受け具１を縮小方向にスライドさせると、両分割支持片１０、２０の帯板のほぼ全長が重なって支持部５が約半分の寸法となるため、軒樋受け具１を保管、運搬などする際にコンパクトな形状、寸法にすることができる。つまり、梱包容量を低減でき、梱包数量の増加を見込め、保管、運搬コストの低減化を図ることができる。
【００３５】
また、突部２３により圧接状態に固定する構成であるため、固定具を使用せずに、支持部５を簡単に固定された状態にすることができる。特に、両分割支持片１０、２０を使用（軒樋２を支持できる）状態にするだけで固定できるので、施工現場で使いやすい。
【００３６】
つぎに、軒樋受け具１の他の圧接固定の構造例について、図４（ａ）〜（ｄ）を参照しながら説明する。
【００３７】
この例では、突部２３、２３が長孔２２の軸孔部２２ａの帯板の幅方向の両側に形成されている。軸３２が長孔２２の軸孔部２２ａに位置しているときに、突部２３がかしめ部３２ａ（頭部）と前側分割支持片２０との間に配され圧接状態となって、両分割支持片１０、２０は固定した状態となる。
【００３８】
ついで、図５を参照して、本発明の他の実施形態に係る軒樋受け具について説明する。
【００３９】
この軒樋受け具１は角樋を支持する受け具であり、前耳係止部２１を有した帯板形状の前側分割支持片２０と、後耳係止部１１を有した帯板形状の後側分割支持片１０と、軒樋受け具１を建築構造物３に固定させるための取付杆３０とよりなる。
【００４０】
前側分割支持片２０と後側分割支持片１０とは、それらを結合固定することで、軒樋２をその外面に沿って受け支持するための支持部５が形成される。これら分割支持片１０、２０は、角樋の前後のそれぞれの形状に対応して角形に加工形成されている（図５（ａ）参照）。
【００４１】
後側分割支持片１０は、一方の端部に別体の係止片１１ｃを取り付けてなる後耳係止部１１を備え、他方の（底部１４の）端部に前側分割支持片２０と軸結合するための軸孔１２が開設されている。後耳係止部１１の後方には、Ｌ字形状の取付杆３０が連設されている。後耳係止部１１は、軒樋２の後耳２ａを載置し得る載置部１１ｄと、上方に突出した突片部１１ｅとよりなる。この後耳係止部１１は、載置部１１ｄに軒樋２の後耳２ａを載置し、突片部１１ｅを前方に折り曲げることで後耳２ａを係止できるようになっている。
【００４２】
前側分割支持片２０は、一方の端部に前耳係止部２１を備え、底部２４のほぼ全長にわたり後側分割支持片１０と軸結合するための長孔２２が開設されている。この長孔２２はだるま孔状に形成されており、長孔２２の後部には径小とされた軸孔部２２ａ（図５（ａ）の拡大断面図および図２（ａ）参照）が連設されている。前側分割支持片２０の軸孔部２２ａを設けたほうの端部の下面の軸孔部２２ａの後方に湾曲先端面を有した複数の突部２３、２３が形成されている。
【００４３】
前耳係止部２１は、軒樋２の前耳２ｂを載置し得る載置部２１ａと、上方に突出した突片部２１ｂとよりなる。この前耳係止部２１は、載置部２１ａに軒樋２の前耳２ｂを載置し、突片部２１ｂを後方に折り曲げることで前耳２ｂを係止できるようになっている。
【００４４】
取付杆３０は、上述したように後側分割支持片１０の本体部と一体に成形されており、後側分割支持片１０に連結された連結部３１と、壁などの建築構造物３に固定される取付部３５とを有している。
【００４５】
２枚の分割支持片１０、２０は、前側分割支持片２０を上に配した状態で、突部２３が後側分割支持片１０の上面に向かうようにして端部同士が重合され、重合した長孔２２、軸孔１２にリベット４０（軸）を通して軸結合してある。
【００４６】
軒樋受け具１は、前側分割支持片２０を横方向にスライド操作することで、使用（軒樋を支持できる）状態（図５（ａ）参照）と、折り畳み状態（図５（ｂ）参照）とに形状を変えることができる。使用状態では、突部２３が２枚の分割支持片１０、２０間に配されて圧接状態となり、ロック状態となる。また、突部２３が２枚の分割支持片１０、２０間から外れると、ロック解除状態となる。
【００４７】
本実施形態においても、図１の実施形態と同様、ロック解除状態で分割支持片１０、２０がスライド自在となり、ロック状態で２枚の分割支持片１０、２０が相互に固定されるように、リベット４０の実質軸長さ寸法（リベット４０のかしめ部４１（頭部）と下側の頭部４２との間の寸法）を調節して、２部材を軸結合しておけばよい。
なお、突部２３の形状、個数、形成位置、スライド操作などについては、図１〜図４に示した実施形態のものと同様であるため、図示をおよびその説明は省略する。
【００４８】
この軒樋受け具１についても、図５（ｂ）のように軒樋受け具１を折り畳むと、それぞれの分割支持片１０、２０の帯板の底部同士が重なって支持部５が前後方向の寸法が約半分の寸法となる。そのため、軒樋受け具１を保管、運搬などする際にコンパクトな寸法にすることができる。
【００４９】
以上の２実施形態ではいずれも、前側分割支持片２０に下向きの突部２３を形成した例を示したが、後側分割支持片１０に上向きの突部を形成した構成としてもよい。また、２枚の分割支持片１０、２０の固定手段として、分割支持片１０、２０間またはかしめ部３２ａ（頭部）、分割支持片２０間に突部２３を配して圧接状態とする例を示したが、他の固定手段を用いてもよい。たとえば、軸としてボルトを用い、蝶ナットにより螺合固定するようにしてもよい。また、固定手段としては掛止固定でもよい。
【符号の説明】
【００５０】
１          軒樋受け具
２          軒樋
２ａ        後耳
２ｂ        前耳
３          垂木（建築構造物）
５          支持部
１０        分割支持片（後側分割支持片）
１１        後耳係止部
１２        軸孔
１４        底部
２０        分割支持片（前側分割支持片）
２１        前耳係止部
２２        長孔
２２ａ      軸孔部
２３        突部
２４        底部
３０        取付杆
３１        連結部
３２        軸
３２ａ      かしめ部（頭部）
３３        鍔部
４０        リベット（軸）
４１        かしめ部（頭部）
４２        下側の頭部
【図１】
2015025322.tif 000003
【図２】
2015025322.tif 000004
【図３】
2015025322.tif 000005
【図４】
2015025322.tif 000006
【図５】
2015025322.tif 000007
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
軒樋をその外面に沿って受け支持する支持部を備え、建築構造物に固定されるようにした軒樋受け具において、
前記支持部は、ほぼ全長にわたり重合し得る湾曲帯板形状の２枚の前側、後側分割支持片を、長手方向に重合した状態で伸縮自在にスライドできるように軸結合して構成されており、
前記前側分割支持片は、ほぼ全長にわたり、前記後側分割支持片と軸結合するための長孔が開設され、該長孔は後部側の端部に径小とした軸孔部を有したダルマ孔状とされており、
前記前側、後側分割支持片は、両分割支持片が相互に遠ざかって伸びた状態にあるとき、軸が前記前側分割支持片の前記長孔の前記軸孔部に位置して、相互に固定された状態にある一方、両分割支持片が固定された状態にあるときに、両分割支持片を短縮方向にスライドさせると固定状態が解除されることを特徴とする軒樋受け具。
【請求項２】
請求項１において、
前記２枚の分割支持片のうち、一方の分割支持片の端部の板面に、他方の分割支持片の板面に向かって突出した突部が形成されており、
前記２枚の分割支持片は、相互に遠ざかって伸びた状態にあるときに、前記突部が両分割支持片の間に配されて圧接状態となって相互に固定される構造となっている軒樋受け具。
【請求項３】
請求項１において、
前記２枚の分割支持片のうち、一方の分割支持片の端部の外面に突部が形成されており、
前記突部が、前記軸の頭部に圧接されて両分割支持片が相互に固定される構造となっている軒樋受け具。
【請求項４】
請求項１〜３のいずれか１項において、
前記建築構造物に固定させる取付杆をさらに備えており、該取付杆の端部で前記２枚の分割支持片を結合するための軸を構成している軒樋受け具。
【手続補正２】
【補正対象書類名】明細書
【補正対象項目名】全文
【補正方法】変更
【補正の内容】
【発明の詳細な説明】
【技術分野】
【０００１】
本発明は、軒樋を受け支持する軒樋受け具に関する。
【背景技術】
【０００２】
従来の軒樋受け具は、丸樋、角樋のいずれについても、軒樋の外形に沿って帯板を折曲して形成した支持部と、帯板を直線状、湾曲状など種々の形状に加工した取付部とが一体化されて取り扱われることが一般的である（たとえば、特許文献１参照）。
【０００３】
このような軒樋受け具は、複数個が箱詰めされた状態で保管され、施工現場にも、箱詰めされた状態で持ち込まれることが通例である。
【先行技術文献】
【特許文献】
【０００４】
【特許文献１】特開２００２−１６７９２０号公報
【発明の概要】
【発明が解決しようとする課題】
【０００５】
しかしながら、この種の軒樋受け具は、特許文献１に図示されているように、決して箱詰めしやすい形状ではなく、特に複数個を梱包した場合には箱内に不要な大きい空間ができてしまう。また、重合しにくい形状であるため、複数個を紐で縛った場合でも嵩が大きくなり取り扱いがしにくくなる。
【０００６】
本発明は、このような事情を考慮して提案されたもので、その目的は、梱包容量を低減できる軒樋受け具を提供することにある。
【課題を解決するための手段】
【０００７】
上記目的を達成するために、請求項１に記載の軒樋受け具は、軒樋をその外面に沿って受け支持する支持部を備え、建築構造物に固定されるようにした軒樋受け具において、支持部は、ほぼ全長にわたり重合し得る湾曲帯板形状の２枚の前側、後側分割支持片を、長手方向に重合した状態で伸縮自在にスライドできるように軸結合して構成されており、前側分割支持片は、ほぼ全長にわたり、後側分割支持片と軸結合するための長孔が開設され、長孔は後部側の端部に径小とした軸孔部を有したダルマ孔状とされており、前側、後側分割支持片は、両分割支持片が相互に遠ざかって伸びた状態にあるとき、軸が前側分割支持片の長孔の軸孔部に位置して、相互にに固定された状態にある一方、両分割支持片が固定された状態にあるときに、両分割支持片を短縮方向にスライドさせると固定状態が解除されることを特徴とする。
【０００８】
請求項２に記載の軒樋受け具は、２枚の分割支持片のうち、一方の分割支持片の端部の板面に、他方の分割支持片の板面に向かって突出した突部が形成されており、２枚の分割支持片は、相互に遠ざかって伸びた状態にあるときに、突部が両分割支持片の間に配されて圧接状態となって相互に固定される構造となっている。
【０００９】
請求項３に記載の軒樋受け具は、２枚の分割支持片のうち、一方の分割支持片の端部の外面に突部が形成されており、突部が、軸の頭部に圧接されて両分割支持片が相互に固定される構造となっている。
【００１０】
請求項４に記載の軒樋受け具は、建築構造物に固定させる取付杆をさらに備えており、該取付杆の端部で２枚の分割支持片を結合するための軸を構成している。
【００１１】
（削除）
【発明の効果】
【００１２】
請求項１に記載の軒樋受け具によれば、上述した構成となっているため、保管、運搬などの際に、支持部を折り畳んでコンパクトな大きさにすることができる。つまり、梱包容量を低減でき、梱包数量の増加を見込め、保管、運搬コストの低減化を図ることができる。
また、２枚の分割支持片が帯板のほぼ全長にわたり重合し得る形状となっているため、支持部の寸法を約半分にすることができる。
【００１３】
請求項２に記載の軒樋受け具によれば、上述した構成となっているため、２枚の分割支持片を使用（軒樋を支持できる）状態にするだけで両分割支持片を固定することができる。また、突部を両分割支持片の間に配して圧接状態とする構成であるため、スムーズな固定が実現できる。
【００１４】
請求項３に記載の軒樋受け具によれば、上述した構成となっているため、２枚の分割支持片を使用（軒樋を支持できる）状態にするだけで両分割支持片を固定することができる。また、軸の頭部で突部を直接圧接する構成であるため両分割支持片の固定を確実化できる。
【００１５】
請求項４に記載の軒樋受け具によれば、２枚の分割支持片を結合する軸を、建築構造物に固定させるための取付杆の端部で形成した構成であるため、他の結合部材を用いる必要がなく、部品点数を少なくできる。
【００１６】
（削除）
【図面の簡単な説明】
【００１７】
【図１】本発明の一実施形態に係る軒樋受け具の説明図であり、（ａ）は分解縦断面図、（ｂ）は使用状態を示す縦断面図である。
【図２】２枚の分割支持片の固定／固定解除の態様を示す説明図であり、（ａ）は前側分割支持片の端部の模式拡大平面図、（ｂ）は２枚の分割支持片の固定状態（軒樋を支持し得る状態）を示す要部模式拡大平面図、（ｃ）は同固定解除状態を示す要部模式拡大平面図である。
【図３】２枚の分割支持片を折り畳み重ね合わせた状態を示す縦断面図である。
【図４】本実施形態の軒樋受け具の他例の説明図であり、（ａ）は前側分割支持片の端部の模式拡大平面図、（ｂ）は同模式拡大縦断面図、（ｃ）は２枚の分割支持片の固定状態（軒樋を支持し得る状態）を示す要部模式拡大縦断面図、（ｄ）は同固定解除状態を示す要部模式拡大平面図である。
【図５】本発明の参考例に係る軒樋受け具の説明図であり、（ａ）は使用状態を示す縦断面図および要部拡大断面図、（ｂ）は２枚の分割支持片を折り畳み重ね合わせた状態を示す縦断面図である。
【発明を実施するための形態】
【００１８】
以下に、本発明の実施の形態について、添付図面を参照して説明する。
図１〜図４は、本発明の一実施形態に係る軒樋受け具の説明図である。
【００１９】
本軒樋受け具１は、図１（ａ）に示すように、前耳係止部２１を有した帯板形状の前側分割支持片２０と、後耳係止部１１を有した帯板形状の後側分割支持片１０と、軒樋受け具１を建築構造物３に固定させるための取付杆３０との３部材よりなる。
【００２０】
前側分割支持片２０と後側分割支持片１０とは、それらを結合固定することで、軒樋２をその外面に沿って受け支持するための支持部５を構成している。これら分割支持片１０、２０は、その主要部が湾曲状に加工形成され、使用可能に結合固定することで、図１（ｂ）に示すように、丸樋を支持し得る略半円形状となる。
【００２１】
後側分割支持片１０は、一方の端部に後耳係止部１１を備え、他方の端部に前側分割支持片２０と軸結合するための軸孔１２が開設されている。後耳係止部１１は、軒樋２の後耳２ａを装着し得る係合凹部１１ａを有した折曲形状となっている。
【００２２】
前側分割支持片２０は、一方の端部に前耳係止部２１を備え、ほぼ全長にわたり後側分割支持片１０と軸結合するための長孔２２が開設されている。この長孔２２はだるま孔状に形成されており、長孔２２の後部側の端部には径小とされた軸孔部２２ａが連設されている。この軸孔部２２ａの幅寸法は、後述する軸３２が帯板の幅方向へずれにくいように、軸３２の径とほぼ同じかやや大とされる。
【００２３】
また、前側分割支持片２０の軸孔部２２ａを設けたほうの端部の下面には、軸孔部２２ａの後方に湾曲先端面を有した複数の突部２３、２３が形成されている。
【００２４】
前耳係止部２１は、軒樋２の前耳２ｂを載置し得る載置部２１ａと、上方に突出した突片部２１ｂとよりなり、「く」字形状とされる。この前耳係止部２１は、載置部２１ａに軒樋２の前耳２ｂを載置し、突片部２１ｂを後方に折り曲げることで前耳２ｂを係止できるようになっている。
【００２５】
取付杆３０は、支持部５の中央から下方向に延びた連結部３１と、その連結部３１の下端より上方に傾斜して延び、垂木３（建築構造物）に打込むための尖端部３４ａを有した足部３４とを備えている。連結部３１の上端部には、前側分割支持片２０と後側分割支持片１０とを軸結合するための軸３２が形成され、軸３２の下端側には周方向に突出した鍔部３３が形成されている。
【００２６】
２枚の分割支持片１０、２０は、前側分割支持片２０を上に配した状態で、突部２３が後側分割支持片１０の上面に向かうようにして端部同士が重合され、重合した長孔２２、軸孔１２に取付杆３０の連結部３１の上端に形成された軸３２を挿通させ、長孔２２より上方に突出した部位をかしめたことで、２枚の分割支持片１０、２０は取付杆３０とともに連結されている。２枚の分割支持片１０、２０は、それらが長手方向に重合された状態で伸縮自在にスライドできるように結合されている。
【００２７】
軒樋受け具１は、図１（ｂ）のように軒樋２を支持できる状態にあるときには、両分割支持片１０、２０が相互に遠ざかって伸びた状態にあり、図２（ｂ）に示すように、軸３２は長孔２２の軸孔部２２ａに位置しており、このときには前側分割支持片２０に設けた突部２３の作用により両分割支持片１０、２０は相互に固定された状態にある。
【００２８】
この状態で、その後耳係止部１１の係合凹部１１ａに軒樋２の後耳２ａを装着し、前耳２ｂを前耳係止部２１の載置部２１ａに載置し、ついで後耳係止部１１の係合凹部１１ａの開口１１ｂを閉じるように締め付け、前耳係止部２１の突片部２１ｂを後方に折り曲げることで、軒樋２を支持部５に装着固定することができる（図１（ｂ）参照）。
【００２９】
ついで、軒樋受け具１のスライド操作による両分割支持片１０、２０の固定と固定解除について、図２および図３を参照しながら説明する。
【００３０】
図２（ｂ）に示すように、２枚の分割支持片１０、２０は、相互に遠ざかって伸びた状態にあるときに、突部２３が両分割支持片１０、２０の間に配され圧接状態となって相互に固定され、ロック状態となる。圧接が確実となるように、突部２３はかしめ部３２ａと鍔部３３との間に挟まれる位置に形成されることが望ましい（図１（ｂ）参照）。なお、ロック状態が容易に解除されないように、突部２３に対応する後側分割支持片１０の箇所に突部２３を係合する凹部を形成してもよい。
【００３１】
また、図２（ｃ）に示すように、一方の分割支持片２０（図例では前側分割支持片２０）を後方にスライド操作すると、突部２３がかしめ部３２ａと鍔部３３との上下位置からずれてロック解除状態となる。
【００３２】
なお、ロック解除状態で分割支持片１０、２０がスライド自在となり、ロック状態で２枚の分割支持片１０、２０が相互に固定されるように、軸３２の実質長さ寸法（かしめ部３２ａと鍔部３３との間の寸法）を調節して、２部材を軸結合しておけばよい。
【００３３】
さらに、前側分割支持片２０を後方にスライドさせることで、図３のように両分割支持片１０、２０がほぼ全長にわたり重合される。図３の状態で両分割支持片１０、２０が固定された状態となるように、長孔２２の前方側の端部にも軸孔部を設けてもよいし、さらに、その前方の下面に突部を設けて、縮小したときにも圧接固定の状態となるようにしてもよい。
【００３４】
このように軒樋受け具１を縮小方向にスライドさせると、両分割支持片１０、２０の帯板のほぼ全長が重なって支持部５が約半分の寸法となるため、軒樋受け具１を保管、運搬などする際にコンパクトな形状、寸法にすることができる。つまり、梱包容量を低減でき、梱包数量の増加を見込め、保管、運搬コストの低減化を図ることができる。
【００３５】
また、突部２３により圧接状態に固定する構成であるため、固定具を使用せずに、支持部５を簡単に固定された状態にすることができる。特に、両分割支持片１０、２０を使用（軒樋２を支持できる）状態にするだけで固定できるので、施工現場で使いやすい。
【００３６】
つぎに、軒樋受け具１の他の圧接固定の構造例について、図４（ａ）〜（ｄ）を参照しながら説明する。
【００３７】
この例では、突部２３、２３が長孔２２の軸孔部２２ａの帯板の幅方向の両側に形成されている。軸３２が長孔２２の軸孔部２２ａに位置しているときに、突部２３がかしめ部３２ａ（頭部）と前側分割支持片２０との間に配され圧接状態となって、両分割支持片１０、２０は固定した状態となる。
【００３８】
ついで、図５を参照して、本発明の参考例に係る軒樋受け具について説明する。
【００３９】
この軒樋受け具１は角樋を支持する受け具であり、前耳係止部２１を有した帯板形状の前側分割支持片２０と、後耳係止部１１を有した帯板形状の後側分割支持片１０と、軒樋受け具１を建築構造物３に固定させるための取付杆３０とよりなる。
【００４０】
前側分割支持片２０と後側分割支持片１０とは、それらを結合固定することで、軒樋２をその外面に沿って受け支持するための支持部５が形成される。これら分割支持片１０、２０は、角樋の前後のそれぞれの形状に対応して角形に加工形成されている（図５（ａ）参照）。
【００４１】
後側分割支持片１０は、一方の端部に別体の係止片１１ｃを取り付けてなる後耳係止部１１を備え、他方の（底部１４の）端部に前側分割支持片２０と軸結合するための軸孔１２が開設されている。後耳係止部１１の後方には、Ｌ字形状の取付杆３０が連設されている。後耳係止部１１は、軒樋２の後耳２ａを載置し得る載置部１１ｄと、上方に突出した突片部１１ｅとよりなる。この後耳係止部１１は、載置部１１ｄに軒樋２の後耳２ａを載置し、突片部１１ｅを前方に折り曲げることで後耳２ａを係止できるようになっている。
【００４２】
前側分割支持片２０は、一方の端部に前耳係止部２１を備え、底部２４のほぼ全長にわたり後側分割支持片１０と軸結合するための長孔２２が開設されている。この長孔２２はだるま孔状に形成されており、長孔２２の後部には径小とされた軸孔部２２ａ（図５（ａ）の拡大断面図および図２（ａ）参照）が連設されている。前側分割支持片２０の軸孔部２２ａを設けたほうの端部の下面の軸孔部２２ａの後方に湾曲先端面を有した複数の突部２３、２３が形成されている。
【００４３】
前耳係止部２１は、軒樋２の前耳２ｂを載置し得る載置部２１ａと、上方に突出した突片部２１ｂとよりなる。この前耳係止部２１は、載置部２１ａに軒樋２の前耳２ｂを載置し、突片部２１ｂを後方に折り曲げることで前耳２ｂを係止できるようになっている。
【００４４】
取付杆３０は、上述したように後側分割支持片１０の本体部と一体に成形されており、後側分割支持片１０に連結された連結部３１と、壁などの建築構造物３に固定される取付部３５とを有している。
【００４５】
２枚の分割支持片１０、２０は、前側分割支持片２０を上に配した状態で、突部２３が後側分割支持片１０の上面に向かうようにして端部同士が重合され、重合した長孔２２、軸孔１２にリベット４０（軸）を通して軸結合してある。
【００４６】
軒樋受け具１は、前側分割支持片２０を横方向にスライド操作することで、使用（軒樋を支持できる）状態（図５（ａ）参照）と、折り畳み状態（図５（ｂ）参照）とに形状を変えることができる。使用状態では、突部２３が２枚の分割支持片１０、２０間に配されて圧接状態となり、ロック状態となる。また、突部２３が２枚の分割支持片１０、２０間から外れると、ロック解除状態となる。
【００４７】
本実施形態においても、図１の実施形態と同様、ロック解除状態で分割支持片１０、２０がスライド自在となり、ロック状態で２枚の分割支持片１０、２０が相互に固定されるように、リベット４０の実質軸長さ寸法（リベット４０のかしめ部４１（頭部）と下側の頭部４２との間の寸法）を調節して、２部材を軸結合しておけばよい。
なお、突部２３の形状、個数、形成位置、スライド操作などについては、図１〜図４に示した実施形態のものと同様であるため、図示をおよびその説明は省略する。
【００４８】
この軒樋受け具１についても、図５（ｂ）のように軒樋受け具１を折り畳むと、それぞれの分割支持片１０、２０の帯板の底部同士が重なって支持部５が前後方向の寸法が約半分の寸法となる。そのため、軒樋受け具１を保管、運搬などする際にコンパクトな寸法にすることができる。
【００４９】
以上の２実施形態ではいずれも、前側分割支持片２０に下向きの突部２３を形成した例を示したが、後側分割支持片１０に上向きの突部を形成した構成としてもよい。また、２枚の分割支持片１０、２０の固定手段として、分割支持片１０、２０間またはかしめ部３２ａ（頭部）、分割支持片２０間に突部２３を配して圧接状態とする例を示したが、他の固定手段を用いてもよい。たとえば、軸としてボルトを用い、蝶ナットにより螺合固定するようにしてもよい。また、固定手段としては掛止固定でもよい。
【符号の説明】
【００５０】
１          軒樋受け具
２          軒樋
２ａ        後耳
２ｂ        前耳
３          垂木（建築構造物）
５          支持部
１０        分割支持片（後側分割支持片）
１１        後耳係止部
１２        軸孔
１４        底部
２０        分割支持片（前側分割支持片）
２１        前耳係止部
２２        長孔
２２ａ      軸孔部
２３        突部
２４        底部
３０        取付杆
３１        連結部
３２        軸
３２ａ      かしめ部（頭部）
３３        鍔部
４０        リベット（軸）
４１        かしめ部（頭部）
４２        下側の頭部